(57)【要約】【課題】  利便性を向上できるドキュメント管理装置を提供する。【解決手段】  複数のドキュメントを保持するドキュメント保持手段にアクセス可能に接続されたドキュメント管理装置であって、当該保持されているドキュメントの少なくとも一部を対象ドキュメント群として選出させ、当該対象ドキュメント群に含まれる個々のドキュメントから所定の単語群を抽出させ、各単語が含まれているドキュメントの数に基づいて、上記単語群に含まれる単語の少なくとも一部を検索用キーワード候補として選択させて、当該選択した検索用キーワード候補を所定の検索処理に供するドキュメント管理装置である。【選択図】        図１
2006039811.tif 000002
【特許請求の範囲】
【請求項１】
複数のドキュメントを保持するドキュメント保持手段にアクセス可能に接続されたコンピュータに、
当該保持されているドキュメントの少なくとも一部を対象ドキュメント群として選出する対象選出手段と、
当該対象ドキュメント群に含まれる個々のドキュメントから所定の単語群を抽出する単語抽出手順と、
各単語が含まれているドキュメントの数に基づいて、前記単語群に含まれる単語の少なくとも一部を検索用キーワード候補として選択する選択手順と、
を実行させ、
当該選択した検索用キーワード候補を所定の検索処理に供することを特徴とするドキュメント管理プログラム。
【請求項２】
請求項１に記載のドキュメント管理プログラムにおいて、
前記選択手順においては、前記各単語が含まれているドキュメント数が、所定の値の範囲にある場合に、前記単語群に含まれる単語の少なくとも一部を検索用キーワード候補として選択することを特徴とするドキュメント管理プログラム。
【請求項３】
請求項１または２に記載のドキュメント管理プログラムにおいて、
前記選択された検索用キーワード候補を単語群に含まれる単語同士の相関値に基づいて階層的にグループ化するクラスタリング手順を、さらにコンピュータに実行させ、
当該階層的な単語グループの各階層ごとに、当該階層以下に含まれる単語が、検索条件の単位として利用者に提示されることを特徴とするドキュメント管理プログラム。
【請求項４】
請求項３に記載のドキュメント管理プログラムにおいて、
前記クラスタリング手順においては、前記検索用キーワード候補の組み合わせのうち、当該組み合わせに係る検索用キーワード候補に関係するドキュメントの検索の結果として得られるドキュメントの数が、予め定めたドキュメント数条件を満足する場合に、当該組み合わせに係る検索用キーワード候補に関係するドキュメントを検索するための単語グループを表す情報を生成させることを特徴とするドキュメント管理プログラム。
【請求項５】
請求項４に記載のドキュメント管理プログラムにおいて、
前記ドキュメント数条件は、前記対象ドキュメントの数に対する、前記検索の結果として得られるドキュメントの数の割合が、予め定めた値の範囲にあるとの条件であることを特徴とするドキュメント管理プログラム。
【請求項６】
請求項５に記載のドキュメント管理プログラムにおいて、
前記値の範囲は、単語グループの階層位置に応じて異なることを特徴とするドキュメント管理プログラム。
【請求項７】
請求項３から６のいずれか一項に記載のドキュメント管理プログラムにおいて、
前記単語グループの提示時には、各単語グループに含まれる単語のいずれかを含むとの検索条件とする検索の結果得られるドキュメントの数に関する情報を併せて提示させることを特徴とするドキュメント管理プログラム。
【請求項８】
請求項１から７のいずれか一項に記載のドキュメント管理プログラムにおいて、
前記ドキュメント保持手段は、ドキュメントを分類して保持しており、前記対象選出手段は、前記分類の少なくとも一部を特定する情報の入力を受けて、当該特定された分類に含まれるドキュメントを対象ドキュメントとして選出することを特徴とするドキュメント管理プログラム。
【請求項９】
複数のドキュメントを保持するドキュメント保持手段にアクセス可能に接続されたコンピュータを用い、
当該保持されている個々のドキュメントから、単語群を抽出する工程と、
各単語が含まれているドキュメントの数に基づいて、前記単語群に含まれる単語の少なくとも一部を検索用キーワード候補として選択する選択工程と、
を実行させ、
当該選択した検索用キーワード候補を所定の検索処理に供することを特徴とするドキュメント管理方法。
【請求項１０】
複数のドキュメントを保持するドキュメント保持手段にアクセス可能に接続されたドキュメント管理装置であって、
当該保持されている個々のドキュメントから、単語群を抽出する手段と、
各単語が含まれているドキュメントの数に基づいて、前記単語群に含まれる単語の少なくとも一部を検索用キーワード候補として選択する手段と、
を含み、
当該選択した検索用キーワード候補が所定の検索処理に供されることを特徴とするドキュメント管理装置。
【発明の詳細な説明】
【技術分野】
【０００１】
本発明は、複数のドキュメント群から、ドキュメントを検索するドキュメント管理プログラム、ドキュメント管理方法、及びドキュメント管理装置に関する。
【背景技術】
【０００２】
従来から、文書などのドキュメントをデータベースに登録しておき、当該文書中に含まれる単語をキーワードとしてドキュメントを全文検索する装置が用いられている。
【０００３】
例えば特許文献１に開示されている技術によると、かかる検索における場合に、利用者が適切な検索結果を得るまでに繰り返し検索をやり直す手間を削減するため、所定の文書をデータベースに予め登録し、所定の検索条件に関連する文書をこのデータベースから取り出す場合、所定の検索条件を用いた検索によって得られた文書中に存在する単語をピックアップし、次回の検索時に追加すべき新たな検索語の候補として、上記ピックアップされた単語を提示する。
【特許文献１】特開平９−２１８８８１号公報
【発明の開示】
【発明が解決しようとする課題】
【０００４】
しかしながら、上記従来の検索技術によると、例えば各検索条件に応じて得られる検索の結果に配慮されていないので、検索語の候補としてピックアップされた単語を選択して検索しても、検索結果のドキュメント数が「０」であるという事態も想定されるなど、利便性が低い。
【０００５】
本発明は上記実情に鑑みて為されたもので、利便性を向上できるドキュメント管理プログラム、ドキュメント管理方法、及びドキュメント管理装置を提供することを、その目的の一つとする。
【課題を解決するための手段】
【０００６】
上記従来例の問題点を解決するための本発明は、ドキュメント管理プログラムであって、複数のドキュメントを保持するドキュメント保持手段にアクセス可能に接続されたコンピュータに、当該保持されているドキュメントの少なくとも一部を対象ドキュメント群として選出する対象選出手段と、当該対象ドキュメント群に含まれる個々のドキュメントから所定の単語群を抽出する単語抽出手順と、各単語が含まれているドキュメントの数とに基づいて、前記単語群に含まれる単語の少なくとも一部を検索用キーワード候補として選択する選択手順と、を実行させ、当該選択した検索用キーワード候補を所定の検索処理に供することを特徴としている。
【０００７】
ここで前記選択手順においては、前記各単語が含まれているドキュメント数が、所定の値の範囲にある場合に、前記単語群に含まれる単語の少なくとも一部を検索用キーワード候補として選択することとしてもよい。
【０００８】
また前記選択された検索用キーワード候補を単語同士の相関値と、各単語が含まれているドキュメントの数とに基づいて、グループ化し、検索条件の候補として利用者に提示されることとしてもよい。
【０００９】
なお、グループ化は排他的に（つまり、一つの単語は直接には一つのグループにのみ含まれるように）行ってもよい。
【００１０】
単語のグループ化あるいは、単語グループの上位のグループへのグループ化においては、検索用キーワード候補に関係するドキュメントの検索の結果として得られるドキュメントの数が、予め定めたドキュメント数条件を満足する場合に、グループ化することとしてもよい。
【００１１】
さらに前記ドキュメント数条件は、前記対象ドキュメントの数に対する、前記検索の結果として得られるドキュメントの数の割合が、予め定めた値の範囲にあるとの条件であることとしてもよいし、さらに前記値の範囲は、グループ化のレベルに応じて異なることとしてもよい。
【００１２】
また、前記キーワード候補の提示時には、各検索条件の候補による検索の結果得られるドキュメントの数に関する情報を併せて提示させることとしてもよい。
【００１３】
さらに、前記ドキュメント保持手段は、ドキュメントを分類して保持しており、前記対象選出手段は、前記分類の少なくとも一部を特定する情報の入力を受けて、当該特定された分類に含まれるドキュメントを対象ドキュメントとして選出することとしてもよい。
【００１４】
また、本発明の一態様に係るドキュメント管理方法は、複数のドキュメントを保持するドキュメント保持手段にアクセス可能に接続されたコンピュータを用い、当該保持されている個々のドキュメントから、単語群を抽出する工程と、各単語が含まれているドキュメントの数に基づいて、前記単語群に含まれる単語の少なくとも一部を検索用キーワード候補として選択する選択工程と、を実行させ、当該選択した検索用キーワード候補を所定の検索処理に供することを特徴としている。
【００１５】
さらに本発明の別の態様に係るドキュメント管理装置は、複数のドキュメントを保持するドキュメント保持手段にアクセス可能に接続されたドキュメント管理装置であって、当該保持されている個々のドキュメントから、単語群を抽出する手段と、各単語が含まれているドキュメントの数に基づいて、前記単語群に含まれる単語の少なくとも一部を検索用キーワード候補として選択する手段と、を含み、当該選択した検索用キーワード候補が所定の検索処理に供されることを特徴としている。
【発明を実施するための最良の形態】
【００１６】
本発明の実施の形態について図面を参照しながら説明する。本発明の実施の形態に係るドキュメント管理装置１は、図１に示すように、ネットワークを介して、ドキュメント保持手段としてのドキュメントデータベース２と、通信可能に接続されている。またこのドキュメント管理装置１は、図１に示すように制御部１１と、記憶部１２と、操作部１３と、表示部１４と、通信部１５とを含んで構成されている。
【００１７】
制御部１１は、ＣＰＵなどを用いて実現でき、記憶部１２に格納されているプログラムに従って動作している。本実施の形態では、制御部１１は、ドキュメントデータベース２に格納されているドキュメントの一部を対象ドキュメント群として選出しておき、この対象ドキュメント群に含まれる各ドキュメントから所定の単語群を抽出する。そして当該単語群に含まれる単語同士の相関値を例えば係り受け解析の結果から演算する。また、各単語の出現頻度（対象ドキュメント群に含まれるドキュメントのうち、各単語の現れるドキュメントの数）を演算し、この出現頻度に基づいて単語群に含まれる単語の少なくとも一部を検索用キーワード候補として選択する処理を行う。また、出現頻度と相関値に基づいて単語群を再帰的にグループ化し、各レベルの単語グループを検索用キーワード候補とする。制御部１１は、さらに当該選択した検索用キーワード候補を所定の検索処理に供する。これらの制御部１１の処理の具体的な内容については、後に詳しく述べる。記憶部１２は、ＲＡＭ（Random Access Memory）や、ＲＯＭ（Read Only Memory）等のメモリ素子、並びにハードディスク等によって実現できる。この記憶部１２は、制御部１１によって実行されるプログラムが保持されている。また、この記憶部１２は、制御部１１の処理の過程で利用される種々のデータを保持するワークメモリとしても動作する。
【００１８】
操作部１３は、マウスやキーボード等によって実現できる。この操作部１３は、利用者の操作を受け入れて、当該操作の内容を制御部１１に出力する。表示部１４は、ディスプレイ等であり、制御部１１から入力される指示に従って情報を表示出力する。通信部１５は、ネットワークに接続されており、制御部１１から入力される指示に従って、ネットワークを介してデータを送信出力する。またこの通信部１５は、ネットワークを介して到来するデータを受信して制御部１１に出力する。
【００１９】
ドキュメントデータベース２は、ドキュメントの実体データを保持している。本実施の形態のドキュメントデータベース２は、各ドキュメントを階層ディレクトリ構造を用いて分類して格納している。例えば利用者は、新たにドキュメントを格納する際には、予め定められた階層ディレクトリ構造に含まれる、いずれかのディレクトリに関連づけて（つまりそのディレクトリに分類して）、当該ドキュメントを格納する。
【００２０】
ここで制御部１１の処理の内容について説明する。本実施の形態の制御部１１は、対象ドキュメント群を選出する選出処理と、単語群を抽出する単語群抽出処理と、単語間の相関値を演算する相関値演算処理と、単語の組み合わせの出現頻度を演算する出現頻度演算処理と、単語の組み合わせから検索用キーワード候補を選択するキーワード選択処理と、選択した検索用キーワード候補を階層的にグループ化するクラスタリング処理と、この階層的にグループ化された検索用キーワード候補を利用者に提示する提示処理とを実行している。また、提示した検索用キーワードの選択操作を受け入れて、当該選択された検索用キーワードに基づく検索処理を実行する。
【００２１】
以下、これら各処理の内容について説明する。制御部１１は、操作部１３を介して利用者から検索の対象とするディレクトリの指定操作を受けて、当該ディレクトリ以下（当該ディレクトリより下位の階層にあるディレクトリ以下をも含む）のドキュメントを対象ドキュメント群として選出する（選出処理）。
【００２２】
制御部１１は、対象ドキュメント群に含まれる各ドキュメントについて、それぞれに含まれる文章から単語を抽出する。具体的には、各ドキュメントを順次、処理対象として選択しながら、選択対象となったドキュメントに含まれる文章に対して、形態素解析処理を行って単語のリストを生成し、さらにこのリストから重複する単語を除去する処理を行う。さらに制御部１１は、この抽出した単語のうち、予め定められた一般単語群（いわゆるストップワードの群）に含まれる単語を取り除く。
【００２３】
一例として、「ナレッジマネジメントのツールは、EIPやSFA、CRMツールなどとともに、発展を続けているところである。」との文章については、「ナレッジマネジメント／の／ツール／は／EIP／や／SFA／CRM／ツール／など／と／とも／に／発展／を／続けて／いる／ところ／である／。」のように分割されて、単語のリストが生成される。ここから重複する単語を除去すると、「ナレッジマネジメント／の／ツール／は／EIP／や／SFA／CRM／など／と／とも／に／発展／を／続けて／いる／ところ／である／。」のように重複する「ツール」という単語が除去される。次に、一般単語群に含まれる、助詞（「の」や「は」の類い）や、どの文章にも現れ得ると想定される単語（例えば「発展」、「続けて」の類い）を除去して、「ナレッジマネジメント／ツール／EIP／SFA／CRM」が単語群抽出処理の抽出結果として得られることになる。
【００２４】
さらに制御部１１は、得られた単語群のリストに含まれる各単語について、当該単語を含む対象ドキュメントの数（DF（Document Frequency）、いわば出現頻度）を調べ、単語出現頻度情報として記憶部１２に格納する。そして制御部１１は、このドキュメントの数（DF）が全対象ドキュメントの数に占める割合が所定の値を超えているときには、当該単語をリストから除去してもよい。例えば、上記の例の場合に、単語「ツール」を含む対象ドキュメントの数DFが、対象ドキュメントの総数Nに占める割合ＤＦ／Ｎが例えば０．５（５０％）を超えている場合は、当該単語「ツール」を各ドキュメントの単語リストから除去することとしてもよい。
【００２５】
制御部１１は、こうして得られる単語群のリストを、それぞれ抽出元のドキュメントを特定する情報に関連づけて、記憶部１２に格納する。
【００２６】
制御部１１は、次に、ドキュメントごとに得られた単語群のリストに含まれる各単語について、単語同士の相関値を演算する。ここで相関値は、例えば係り受けの分析処理によって演算できる。具体的には、骨格構造解析などの方法（例えば兵藤安昭,池田尚志：表層的情報とN近傍ブロック化手法による 日本語長文の骨格構造解析,情報処理学会論文誌,Ｖｏｌ．３６,Ｎｏ．９,ｐｐ２０９１−２１０１（１９９５））が知られており、相関値の演算方法は当該知られている方法を用いることができるので、ここでの詳細な説明を省略する。この処理により、図２に示すように、単語群に含まれる任意の単語ペアに関する相関値が演算される。
【００２７】
制御部１１は、ここで、相関値を参照しながら単語の組み合わせを生成する。具体的には、まず、相関の大きい順に単語をグループ化する。ただし、グループ化した単語のＤＦ／Ｎが所定値を超える場合はそのグループ化を行わない。また、グループに含まれる単語の数が所定値、例えば１０語を超える場合はそのグループ化を行わない。ＤＦ／Ｎあるいはグループに含まれる単語の数の制約によりグループ化できなくなるまでグループ化が続く。あるいは、予めしきい値を定め、グループ内の単語の組み合わせの内、相関値が最も低いものが、しきい値を超えるもののみをグループ化してもよい。
【００２８】
同様の処理を語のグループに対して再帰的に行い、リストに含まれる最上位のグループが所定値、例えば１０グループ以下になるようにする。グループを上位のグループにまとめる場合は、ＤＦ／Ｎの上限値を上げるようにする。同様に、相関の下限値を設定している場合は、相関の下限値を下げるようにする。
【００２９】
具体的に、図３（ａ）に例示するように単語ＡからＤについての相関値が演算されているとすると、ここから例えばしきい値「０．５」以上の相関値となっている単語の組み合わせを相関値の大きい順に取り出してグループ化する。まず、最も相関値の大きい単語Ｂと単語Ｄがグループになる。次に単語Ａと単語Ｂのグループ化を考えるが、単語Ａと単語Ｄの相関値がしきい値より小さいのでグループ化しない。次に単語Ｃと単語Ｄのグループ化を考えるが、単語Ｂと単語Ｃの相関値はしきい値以上なので、単語Ｂ・単語Ｃ・単語Ｄがグループ化される。
【００３０】
制御部１１は、こうして得られた単語の組み合わせをキーワード候補として記憶部１２に格納する。
【００３１】
そして、制御部１１は、全てのレベルの全ての単語グループについて、そのグループに含まれる単語のいずれかを含む旨の検索条件による検索を行い、その結果として得られるドキュメントの数（ヒット数）を調べ、当該ドキュメントの数が予め定めたドキュメント数条件を満足しない単語グループは作成しない。
【００３２】
具体的にドキュメント数条件は、対象ドキュメントの数（N）に対する、ヒット数（DF）の割合が、予め定めた値の範囲にある、つまり
ＭＩＮ＜ＤＦ／Ｎ＜ＭＡＸ
との条件である。
【００３３】
ここでＭＩＮを設けたのは、検索の結果として得られるドキュメントの数が「０」になることを防止するためのものであるが、検索の結果がない場合があっても構わないときには、ＭＩＮを「０」に設定しておけばよい。
【００３４】
制御部１１は、上記ドキュメント数条件を満足する単語あるいは単語グループのリストを、キーワード候補として記憶部１２に格納する。
【００３５】
キーワード候補が単語グループである場合は、ドキュメント数条件はグループのレベルに応じて異なることとしてもよい。例えば、単一の単語であれば、ＭＡＸを「０．５」とし、グループのレベル（階層位置）が上がるたびにＭＡＸを逓増させて、単語を直接含むグループ（第１階層）の場合「０．７５」、単語を直接含むグループを更にグループ化したもの（第２階層）の場合「０．８７５」、さらにそのグループをグループ化したもの（第３階層）の場合「０．９３７５」…としてもよい。
【００３６】
制御部１１は、このようにして対象ドキュメントに現実に含まれる単語をグループ化し、利用者に提示するのである。すなわち制御部１１は、上記処理によって得られた単語リストを表示部１４に表示する。具体的には、制御部１１は、図４（ａ）に示すように単語リストの一覧と、検索ボタンとを表示部１４に表示する。利用者が、この単語リストの一覧から単語あるいは単語グループをマウスクリック操作などで選択し、さらに検索ボタンをクリックすると、制御部１１は、当該操作を受け入れて、選択した単語あるいは単語グループに係る検索条件に基づく検索結果（検索の結果となるドキュメントの一覧など）を表示部１４に提示する。
【００３７】
また、キーワード候補が選択されたときに、当該キーワード候補が、単語グループである場合は、当該単語グループを構成する単語あるいは単語サブグループの一覧をさらに提示してもよい（図４（ｂ））。図４（ｂ）では、Ａ，Ｂ，Ｃからなる単語グループが、Ａ，Ｂと、Ａ，Ｃとの各単語グループのグループ化によって得られたものである場合を示している。この場合「Ａ，Ｂ，Ｃ」の検索条件が選択されると、「Ａ，Ｂ」の検索条件と、「Ａ，Ｃ」の検索条件とが個別に提示される。利用者がここで提示された「Ａ，Ｂ」の検索条件を選択して、検索ボタンをクリックすると、制御部１１は、選択した「Ａ，Ｂ」の検索条件に基づく検索結果（検索の結果となるドキュメントの一覧など）を表示部１４に提示する。
【００３８】
さらに制御部１１は、提示する検索条件ごとに、各検索条件による検索の結果得られるドキュメントの数に関する情報を併せて提示してもよい。例えば、検索条件の一覧に、当該情報を関連づけて提示する例を図５に示す。また、図５の例では、選択した単語等を検索条件の単位としてさらに任意の単語を利用者が追加する（選択した検索条件に対して論理和（ＯＲ）、論理積（ＡＮＤ）などの条件で組み合わせる）ことができるようにしている。
【００３９】
さらに図５の例において、「ＡＮＤ検索」ボタンがクリックされると、制御部１１は、検索条件の一覧を複数提示して、複数の検索条件の論理積により新たな検索条件を生成して検索指示ができるようにしている。なお、図５の例において複数の検索条件を論理和によって合成して新たな検索条件を生成する場合は、検索条件の一覧から当該論理和によって結合する複数の検索条件をそれぞれ選択すればよい。このように検索条件同士の論理和、論理積を指定した場合も、当該指定された条件での検索結果のドキュメント数に関する情報を提示してもよい。
【００４０】
さらに図５の例においては、検索の対象となるディレクトリを選択するためのインタフェースを併せて提示している（Ｘ）。このインタフェースにて検索の対象となるディレクトリが指定されるたびに、当該指定されたディレクトリに含まれるドキュメントを対象ドキュメントとして検索条件を生成するための上記処理が行われ、生成された検索条件が提示されることになる。
【００４１】
さらに、図５に示した例のように、利用者が任意の単語を入力できるようにしている場合には、利用者が単語を入力したときに、対象ドキュメントのうち、当該入力した単語を含むドキュメントの数に関する情報を提示してもよい。例えば入力された単語に関する出現頻度情報が記憶部１２に格納されているときには、当該情報を参照して、当該単語の出現頻度（DF）が予め定めた頻度しきい値未満であるときには、「この語はヒット数が少ないか、またはヒットしません」のような案内を表示する。
【００４２】
また、上記頻度しきい値未満でないときには、当該出現頻度の値（DFの値）を表示してもよい（図６）。さらに、利用者が単語を入力したときに、提示した検索条件に当該単語が含まれているときには、入力された単語の代わりに、検索条件に含まれる単語を選択した状態としてもよい（図７）。なお、図７の例では入力欄に入力された単語が表示されたままとなっているが、検索条件に含まれる単語を選択した状態とした後、この入力欄の内容を削除して、入力欄を空としてもよい。
【００４３】
また、検索の結果を提示する方法として、制御部１１は、検索の対象として選択されたディレクトリ以下にあるディレクトリ（当該選択されたディレクトリのすぐ下位にあるディレクトリ）または、ドキュメントの一覧を提示し、検索条件を満足するドキュメントや、検索条件を満足するドキュメントを含む（さらに下位のディレクトリに内包されている場合を含む）ディレクトリと、それ以外のドキュメントやディレクトリとは区別して、強調表示してもよい（図８）。図８では、検索条件を満足するドキュメントや、検索条件を満足するドキュメントを内包するディレクトリを網掛けして強調する例を示しているが、このほか、文字色や背景色を変更したり、点滅させるなど、表示態様を異ならせて強調表示してもよい。
【００４４】
本実施の形態によると、検索の対象となるドキュメント群に実際に含まれる単語に基づいて検索用キーワード候補が提示され、また、当該提示される検索用キーワード候補に応じて得られる検索の結果に配慮されている。このため、有為な検索操作を容易に行うことができるよう支援され、利便性が向上できる。
【図面の簡単な説明】
【００４５】
【図１】本発明の実施の形態に係るドキュメント管理装置の構成例、およびそのドキュメントデータベースへの接続例を表すブロック図である。
【図２】相関値の演算結果の格納例を表す説明図である。
【図３】相関値から単語の組み合わせを生成する例を表す説明図である。
【図４】検索条件の提示例を表す説明図である。
【図５】検索条件の提示の別の例を表す説明図である。
【図６】検索のための語を任意に入力したときの画面例を表す説明図である。
【図７】検索のための語を任意に入力したときの別の画面例を表す説明図である。
【図８】検索結果の提示の例を表す説明図である。
【符号の説明】
【００４６】
１  ドキュメント管理装置、２  ドキュメントデータベース、１１  制御部、１２  記憶部、１３  操作部、１４  表示部、１５  通信部。
【図１】
2006039811.tif 000003
【図２】
2006039811.tif 000004
【図３】
2006039811.tif 000005
【図４】
2006039811.tif 000006
【図５】
2006039811.tif 000007
【図６】
2006039811.tif 000008
【図７】
2006039811.tif 000009
【図８】
2006039811.tif 000010